(57)【要約】 【課題】  内枠を外枠に簡単に取り付けることができる蝶着装置を提供する。【解決手段】  蝶着装置は、上部回動部材６に設けた下向きの上側ピン１７が、上部固定部材５に形成した軸着孔１３に嵌め込まれてヒンジを構成する上側蝶着部材３と、下部回動部材８に設けた下向きの下側ピン３３が下部固定部材７に設けた切込み凹部２３にスライドして差し込まれてヒンジを構成する下側蝶着部材４とからなる。下側ピン３３の先端には、切込み凹部２３の方に向けて傾斜する切欠部３４が設けるとともに、切込み凹部２３の裏側には、下側ピン３３の押圧により下方に湾曲される板バネ２４を配して、この板バネ２４に下側ピン３３の錠止孔２６を設けた。【選択図】    図１３
2006020767.tif 000002
【特許請求の範囲】
【請求項１】
上側ピンが軸着孔に嵌め込まれてヒンジを構成する上側蝶着部材と、下側ピンが切込み凹部にスライドして差し込まれてヒンジを構成する下側蝶着部材とからなる蝶着装置であって、下側ピンの先端には、切込み凹部の方に向けて傾斜する切欠部を設けるとともに、切込み凹部には、下側ピンの押圧により湾曲される板バネを配置して、この板バネに下側ピンの錠止孔を設けたことを特徴とする蝶着装置。
【請求項２】
上側蝶着部材を、上側ピンを有する上部回動部材と、軸着孔が形成された上部固定部材とからなるものとし、下側蝶着部材を、下側ピンを有する下部回動部材と、切込み凹部が形成された下部固定部材とからなるものとしたことを特徴とする請求項１に記載の蝶着装置。
【請求項３】
上側蝶着部材及び下側蝶着部材に、上部回動部材及び下部回動部材が上方に移動するのを制止するロック部をそれぞれ設けたことを特徴とする請求項２に記載の蝶着装置。
【発明の詳細な説明】
【技術分野】
【０００１】
本発明は、パチンコ機などの遊技機の外枠に内枠を着脱自在に且つ回動自在に軸着するための蝶着装置に関するものである。
【背景技術】
【０００２】
遊技機の一つであるパチンコ機は、外枠と呼ばれる矩形の枠体に、遊技盤や機構盤を配設した内枠が蝶着装置によって着脱自在に且つ回動自在に軸着されている。このような蝶着装置として、例えば特許文献１には、外枠に内枠の一側を開閉自在に支持させた上下二組の蝶着部材からなるものが開示されている。この蝶着装置において、上蝶着部材は上部固定部材に設けた軸受部に上部回動部材の下向きのピンを差し込み、また下蝶着部材は下部固定部材に設けた上向きのピンを下部回動部材の軸受孔に差し込むことによって、内枠を外枠に回動自在に支持させることができる。しかしながら、上記した構造の蝶着装置は、上下のピンを同時に軸受部及び軸受孔に差し込まねばならないので、重量な内枠の取り付け作業がたいへん困難であるという問題があった。
【特許文献１】実開昭６４−２０８８８号公報  (第１図)
【発明の開示】
【発明が解決しようとする課題】
【０００３】
本発明は上記した従来の問題点を解決して、内枠を外枠に簡単に取り付けることができる蝶着装置を提供するためになされたものである。
【課題を解決するための手段】
【０００４】
上記の課題を解決するためになされた本発明の蝶着装置は、上側ピンが軸着孔に嵌め込まれてヒンジを構成する上側蝶着部材と、下側ピンが切込み凹部にスライドして差し込まれてヒンジを構成する下側蝶着部材とからなる蝶着装置であって、下側ピンの先端には、切込み凹部の方に向けて傾斜する切欠部を設けるとともに、切込み凹部には、下側ピンの押圧により湾曲される板バネを配置して、この板バネに下側ピンの錠止孔を設けたことを特徴とするものである。上記した発明において、上側蝶着部材を、上側ピンを有する上部回動部材と、軸着孔が形成された上部固定部材とからなるものとし、下側蝶着部材を、下側ピンを有する下部回動部材と、切込み凹部が形成された下部固定部材とからなるものとすることができ、また、上側蝶着部材及び下側蝶着部材に、上部回動部材及び下部回動部材が上方に移動するのを制止するロック部をそれぞれ設けることができる。
【発明の効果】
【０００５】
本発明の蝶着装置は、上側ピンを軸着孔に嵌め込んで内枠上部を外枠上部に仮保持させた状態としたうえに、下側ピンを切込み凹部にスライドさせて差し込めば、下側ピンの押圧により板バネを下方に湾曲させつつ下側ピンを板バネ上面を摺動させることができるので、下側ピンを錠止孔に嵌め込み移動不能にロックすることができる。また、上側蝶着部材を、上側ピンを有する上部回動部材と、軸着孔が形成された上部固定部材とからなるものとし、下側蝶着部材を、下側ピンを有する下部回動部材と、切込み凹部が形成された下部固定部材とからなるものとしたので、外枠に内枠を確実に支持させることができる。さらに、上側蝶着部材及び下側蝶着部材にロック部を設けたので、装着された内枠が上方に抜けるのを制止することができる。
【発明を実施するための最良の形態】
【０００６】
以下に図面を参照しつつ本発明の好ましい実施形態を説明する。図１は本発明の蝶着装置を示す図であって、１は外枠、２は内枠、３は上側蝶着部材、４は下側蝶着部材である。上側蝶着部材３は、外枠１の上部一側にビス止めされる上部固定部材５と、内枠２の上部一側にビス止めされる上部回動部材６とによりヒンジ構成される。また、下側蝶着部材４は、外枠１の下部一側にビス止めされる下部固定部材７と、内枠２の下部一側にビス止めされる下部回動部材８とによりヒンジ構成される。
【０００７】
図２〜４には上側蝶着部材３の詳細を示す。図３に示す上部固定部材５は、ねじ孔９を有する垂直基部１０と、垂直基部１０の一端に直交する水平基部１１とを有する。水平基部１１には内枠２支持用の水平突片１２が前方に突出して形成され、水平突片１２の先端よりに垂直の軸着孔１３が設けられている。また、図４に示す上部回動部材６は、垂直基板１４と、これに直交する水平基板１５と、この水平基板１５から延出して設けられた突片１６を有し、この突片１６に下向きの上側ピン１７が設けられている。上側ピン１７は、軸着孔１３に差し込みを容易とするために先端が細くなるように縮径されている。
【０００８】
また、図５〜７には下側蝶着部材４の詳細を示す。図６に示す下部固定部材７は、取付け用の垂直部２１と、これに直交する水平部２２を有し、水平部２２には取付け時遊技機前方に向けて開口する切込み凹部２３が形成されている。切込み凹部２３の裏側には板バネ２４が、その基端側をロックピン２５の下端によりかしめられて取り付けられている。したがって、板バネ２４の先端側は、上方からの押圧により容易に下方に湾曲する。また、板バネ２４の先端はやや下向きに曲げられていて、後述する下側ピンの差込みを容易としている。そして、板バネ２４の先端よりには、下側ピンが嵌め込まれる錠止孔２６が設けられている。
【０００９】
図７に示す下部回動部材８は、水平板３１と、水平板３１の一端に立設された垂直板３２を有する。水平板３１には、前記切込み凹部２３にスライドして差し込まれる下側ピン３３が下向きに突設されている。この下側ピン３３は、その長さが切込み凹部２３の裏側に突き抜ける長さとしてあって、且つその先端には、切込み凹部２３の方に向けて傾斜する切欠部３４が設けてある。したがって、板バネ２４に下側ピン３３の先端を引っ掛けることなく容易に差し込むことができるうえに、この下側ピン３３の押圧により板バネ２４の先端側を下方に湾曲させつつ下側ピン３３をスライドさせることができる。そして、下側ピン３３を錠止孔２６に嵌め込んでロックすることができる。また、水平板３１にはフック３６が設けてあって、内枠２回動時に前記ロックピン２５がこのフック３６に掛止されて内枠２が外枠１から外れる方向に移動するのを制止する。
【００１０】
さらに、上部固定部材５は既記した水平突片１２を有し(図３)、上部回動部材６には垂直基板１４の上部が切り込まれて段差１８が形成されており(図４)、この段差１８が水平突片１２の下側に位置したときに後述する上側ロック部が完成される。また、下部固定部材７には、その垂直部２１上端から前方に突出する突出部２７が設けられており(図６)、一方の下部回動部材８には、その垂直板３２上端から下側ピン３３の方向に突出する張出し部３５が設けられている(図７)。突出部２７の下側に張出し部３５が摺接された時に後述する下側ロック部が完成される。
【００１１】
以上のような蝶着装置が配設された遊技機において、内枠２を外枠１に取り付けるに当たっては先ず外枠１に対して内枠２を直交状態に向けたうえに、図８に示すように内枠２上端を傾けて上部固定部材５の軸着孔１３に上側ピン１７を嵌め込む。次いで、下部固定部材７の切込み凹部２３に下側ピン３３を摺動させて差し込めば、下側ピン３３が板バネ２４を下方に湾曲させつつ移動して、図９に示すように下側ピン３３が錠止孔２６に嵌め込まれて下側ピン３３は退却不能にロックされる。
【００１２】
その後内枠２を外枠１と平行となる状態にヒンジ回動すれば、図１０のように内枠２を外枠１の中にきちんと装着することができる。内枠２の回動前後における蝶着装置の係合状態を、図１１〜１４に示す。内枠２を閉鎖方向に回動したときには、下部固定部材７のロックピン２５がフック３６に掛止されて内枠２の移動が制止される（図１３、１４）。そして、内枠２の回動によって、上部回動部材６の垂直基板１４に設けた段差１８が水平突片１２の下側に位置することとなって上側ロック部が完成され(図１１、１２)、内枠２の上方への持ち上げが制止される。さらに、下部固定部材７の突出部２７下端に下部回動部材８の張出し部３５上端が摺接されて下側ロック部が完成されるので(図１３、１４)、内枠２の上方への持ち上げが二重に制止される。
内枠２を外すときは内枠２を開いて外枠１と内枠２とをほぼ直交した状態としたのちに、上方に持ち上げれば簡単に内枠２を取り外すことができる。
【００１３】
なお、本発明に係る蝶着装置は、上側ピン１７を上向きとして上部固定部材５に設け、上側ピン１７に対応する軸着孔１３を上部回動部材６に設けても、外枠１に内枠２上端を支持させて掛止することができる。したがって、上側蝶着部材３における上側ピン１７と軸着孔１３の形成位置に特に制限はない。また、下側ピン３３を上向きとして下部固定部材７に設け、下側ピン３３が差し込まれる切込み凹部２３を下部回動部材８に設けても、外枠１に内枠２下端を支持させて掛止することができる。この場合には板バネ２４は切込み凹部２３の上側に取り付けられる。したがって、下側蝶着部材４における下側ピン３３と切込み凹部２３の形成位置にも特に制限はない。
【００１４】
以上説明したように、本発明の蝶着装置を用いれば内枠下部を単にスライドさせるだけで容易に外枠に装着することができる。また、本発明の蝶着装置は構造が極めて簡単であるので製造コストが低いという大きな利点を有する。
【図面の簡単な説明】
【００１５】
【図１】本発明の蝶着装置が配設された遊技機の要部正面図である。
【図２】上側蝶着部材の平面図である。
【図３】上部固定部材の平面図 (a)、正面図（b）、側面図（c）である。
【図４】上部回動部材の平面図 (a)、正面図（b）、側面図（c）である。
【図５】下側蝶着部材の平面図である。
【図６】下部固定部材の平面図 (a)、正面図（b）、側面図（c）、底面図 (d)である。
【図７】下部回動部材の平面図 (a)、正面図（b）、側面図（c）である。
【図８】外枠に内枠の上端を掛止した遊技機の要部正面図である。
【図９】外枠に内枠の上下両端を掛止した遊技機の要部正面図である。
【図１０】外枠に内枠を装着した遊技機の正面図である。
【図１１】上部回動部材が回動前である上側蝶着部材の平面図 (a)、正面図（b）である。
【図１２】上部回動部材が回動後である上側蝶着部材の平面図 (a)、正面図（b）、側面図（c）である。
【図１３】下部回動部材が回動前である下側蝶着部材の平面図 (a)、正面図（b）である。
【図１４】下部回動部材が回動後である下側蝶着部材の平面図 (a)、正面図（b）、側面図（c）である。
【符号の説明】
【００１６】
１  外枠
２  内枠
３  上側蝶着部材
４  下側蝶着部材
５  上部固定部材
６  上部回動部材
７  下部固定部材
８  下部回動部材
９  ねじ孔
１０  垂直基部
１１  水平基部
１２  水平突片
１３  軸着孔
１４  垂直基板
１５  水平基板
１６  突片
１７  上側ピン
１８  段差
２１  垂直部
２２  水平部
２３  切込み凹部
２４  板バネ
２５  ロックピン
２６  錠止孔
２７  突出部
３１  水平板
３２  垂直板
３３  下側ピン
３４  切欠部
３５  張出し部
３６  フック
【図１】
2006020767.tif 000003
【図２】
2006020767.tif 000004
【図３】
2006020767.tif 000005
【図４】
2006020767.tif 000006
【図５】
2006020767.tif 000007
【図６】
2006020767.tif 000008
【図７】
2006020767.tif 000009
【図８】
2006020767.tif 000010
【図９】
2006020767.tif 000011
【図１０】
2006020767.tif 000012
【図１１】
2006020767.tif 000013
【図１２】
2006020767.tif 000014
【図１３】
2006020767.tif 000015
【図１４】
2006020767.tif 000016